(57)【要約】第１アンテナ部（２）及び第２アンテナ部（３）と、第１期間に第１アンテナ部（２）を選択し、第２期間に第２アンテナ部（３）を選択する切替部（４）と、第１アンテナ部（２）又は第２アンテナ部（３）が受信した無線信号に含まれる通信データを正常に取得できるか否かを判定する受信判定部（６）と、複数の通信端末のそれぞれと第１アンテナ部（２）及び第２アンテナ部（３）のそれぞれとの対応付けを記憶している記憶部（７）とを備え、切替部（４）は、第１アンテナ部（２）に対応づけられた通信端末が送信した通信データを正常に取得できると判定された回数に対する、第２アンテナ部（３）に対応づけられた通信端末が送信した通信データを正常に取得できると判定された回数の比率と、第１期間の長さに対する第２期間の長さの比率とが等しくなるように、第１期間と第２期間との長さを設定する。
2013175763.tif 000002
【特許請求の範囲】
【請求項１】
複数の通信端末のそれぞれが送信する通信データを含む無線信号を受信する第１アンテナ部及び第２アンテナ部と、
第１期間に前記第１アンテナ部を選択し、前記第１期間と異なる第２期間に前記第２アンテナ部を選択する選択部と、
前記選択部が選択した前記第１アンテナ部又は前記第２アンテナ部が受信した前記無線信号に含まれる前記通信データを正常に取得できるか否かを判定する受信判定部と、
前記複数の通信端末のそれぞれと前記第１アンテナ部及び前記第２アンテナ部のそれぞれとの対応付けを記憶している記憶部とを備え、
前記選択部は、
前記対応付けを参照することで、前記第１アンテナ部に対応づけられた前記通信端末が送信した前記通信データを正常に取得できると判定された回数に対する、前記第２アンテナ部に対応づけられた前記通信端末が送信した前記通信データを正常に取得できると判定された回数の比率と、前記第１期間の長さに対する前記第２期間の長さの比率とが等しくなるように、前記第１期間と前記第２期間との長さを設定する
通信装置。
【請求項２】
前記通信装置は、さらに、
前記第１アンテナ部及び前記第２アンテナ部のそれぞれが受信した前記無線信号の受信信号強度を検出するＲＳＳＩ検出部を備え、
前記記憶部は、
前記第１アンテナ部及び前記第２アンテナ部のうち、受信した前記無線信号について前記ＲＳＳＩ検出部が検出した受信信号強度が高い方を、前記無線信号の送信元端末に対応させる前記対応付けを記憶している
請求項１に記載の通信装置。
【請求項３】
前記選択部は、
周期的に前記第１期間と前記第２期間とを繰り返す
請求項１または請求項２に記載の通信装置。
【請求項４】
前記選択部は、
前記第１アンテナ部に対応付けられた前記通信端末が送信した前記通信データを正常に取得できると判定された回数と、前記第２アンテナ部に対応付けられた前記通信端末が送信した前記通信データを正常に取得できると判定された回数とに基づいて、前記第１期間と前記第２期間との繰り返しの周期を更新する
請求項３に記載の通信装置。
【請求項５】
前記選択部は、
前記第１アンテナ部及び前記第２アンテナ部のいずれか一方が受信した前記無線信号の受信信号強度が所定値未満であるとき、前記無線信号の送信元端末が送信した前記通信データを正常に取得できると判定された回数に基づいて、前記第１期間と前記第２期間との長さを設定する
請求項２〜４のいずれか１項に記載の通信装置。
【請求項６】
前記選択部は、
前記第１アンテナ部及び前記第２アンテナ部のそれぞれが受信した前記無線信号の受信信号強度が所定値以上であるとき、前記無線信号の送信元端末が送信した前記通信データを正常に取得できると判定された回数を算入せずに、前記第１期間と前記第２期間との長さを設定する
請求項２〜５のいずれか１項に記載の通信装置。
【請求項７】
前記記憶部は、
前記通信端末と、前記第１アンテナ部及び前記第２アンテナ部のうち、当該通信端末が送信した前記通信データを受信したときの受信信号強度が高い方との対応を、新たな前記対応付けとして記憶する
請求項２〜６のいずれか１項に記載の通信装置。
【請求項８】
前記選択部は、
前記通信端末が前記通信データを再送信するまでの時間である再送待ち時間を、繰り返しの周期として、前記第１期間と前記第２期間との長さを設定する
請求項３または請求項４に記載の通信装置。
【請求項９】
前記選択部は、
前記第１アンテナ部又は前記第２アンテナ部が前記無線信号を受信しているときには、前記第１アンテナ部又は前記第２アンテナ部のいずれかの選択を維持する
請求項１〜８のいずれか１項に記載の通信装置。
【請求項１０】
複数の通信端末が送信する通信データを含む無線信号を受信する第１アンテナ部及び第２アンテナ部とを備える通信装置における通信方法であって、
第１期間に前記第１アンテナ部を選択し、前記第１期間と異なる第２期間に前記第２アンテナ部を選択する選択ステップと、
前記選択ステップにおいて選択された前記第１アンテナ部又は前記第２アンテナ部が受信した前記無線信号に含まれる前記通信データを正常に取得できるか否かを判定する受信判定ステップと、
前記複数の通信端末のそれぞれと前記第１アンテナ部及び前記第２アンテナ部のそれぞれとの対応付けを行う対応付けステップとを含み、
前記選択ステップにおいて、
前記対応付けを参照することで、前記第１アンテナ部に対応づけられた前記通信端末が送信した前記通信データを正常に取得できると判定された回数に対する、前記第２アンテナ部に対応づけられた前記通信端末が送信した前記通信データを正常に取得できると判定された回数の比率と、前記第１期間の長さに対する前記第２期間の長さの比率とが等しくなるように、前記第１期間と前記第２期間との長さを設定する
通信方法。
【請求項１１】
請求項１０に記載の通信方法をコンピュータに実行させるためのプログラム。
【発明の詳細な説明】
【技術分野】
【０００１】
本発明は、通信装置、及び、通信方法に関する。
【背景技術】
【０００２】
近年、従来の有線通信に加えて、より利便性の高い無線通信が注目されている。無線通信において、通信エリアの拡大または干渉波の影響の抑制などを目的として、アンテナを複数搭載し複数のアンテナを使用して通信する技術がある（アンテナダイバーシチ技術）。【０００３】
複数のアンテナのうちの１つを利用して無線信号を受信する受信アンテナダイバーシチ技術において、通信相手ごとに複数のアンテナのうちの良好に受信できるアンテナが異なる場合がある。この場合、複数の通信相手からの無線信号を良好に受信するためには、当該通信相手が無線信号を送信するタイミングに、当該通信相手からの無線信号を良好に受信できるアンテナを使用して受信できる状態となっていなければならない。【０００４】
通信端末（子局）が通信装置（親局）に対して通信路確立のための初期登録を行う際に、通信装置が受信信号強度（ＲＳＳＩ、Received Signal Strength Indicator）に基づいて初期のアンテナ設定を行い、通信装置と通信端末との間で通信タイミングを共有する技術が開示されている（例えば、特許文献１）。【０００５】
また、子局が親局に対して初期登録を行う際に、親局における受信レベルが閾値以下となるアンテナを、受信に用いるアンテナの候補から除外する技術が開示されている（例えば、特許文献２）。
【先行技術文献】
【特許文献】
【０００６】
【特許文献１】特開２０１１−１４７０６５号公報
【特許文献２】特開平９−２１９６７４号公報
【発明の概要】
【発明が解決しようとする課題】
【０００７】
しかしながら、受信アンテナダイバーシチ技術において、通信相手が任意のタイミングで無線信号を送信する場合に、常に良好に無線信号を受信することができないという問題がある。【０００８】
そこで、本発明の目的は、上記問題に鑑みてなされたものであって、受信アンテナダイバーシチ技術において、通信相手が任意のタイミングで無線信号を送信する場合に、高い確率で無線信号を受信することができる通信装置等を提供することにある。
【課題を解決するための手段】
【０００９】
上記目的を達成するために、本発明の一態様にかかる通信装置は、複数の通信端末が送信する通信データを含む無線信号を受信する第１アンテナ部及び第２アンテナ部と、第１期間に前記第１アンテナ部を選択し、前記第１期間と異なる第２期間に前記第２アンテナ部を選択する選択部と、前記選択部が選択した前記第１アンテナ部又は前記第２アンテナ部が受信した前記無線信号に含まれる前記通信データを正常に取得できるか否かを判定する受信判定部と、前記複数の通信端末のそれぞれと前記第１アンテナ部及び前記第２アンテナ部のそれぞれとの対応付けを記憶している記憶部とを備え、前記選択部は、前記対応付けを参照することで、前記第１アンテナ部に対応づけられた前記通信端末が送信した前記通信データを正常に取得できると判定された回数に対する、前記第２アンテナ部に対応づけられた前記通信端末が送信した前記通信データを正常に取得できると判定された回数の比率と、前記第１期間の長さに対する前記第２期間の長さの比率とが等しくなるように、前記第１期間と前記第２期間との長さを設定する。【００１０】
なお、これらの全般的または具体的な態様は、システム、方法、集積回路、コンピュータプログラムまたはコンピュータ読み取り可能なＣＤ−ＲＯＭなどの記録媒体で実現されてもよく、システム、方法、集積回路、コンピュータプログラムおよび記録媒体の任意な組み合わせで実現されてもよい。
【発明の効果】
【００１１】
本発明の一態様にかかる通信装置は、高い確率で無線信号を受信することができる。
【図面の簡単な説明】
【００１２】
【図１】図１は、実施の形態に係るシステム構成の一例を示す図である。
【図２】図２は、実施の形態に係るシステム構成の他の一例を示す図である。
【図３】図３は、実施の形態に係る通信装置の機能ブロック構成の一例を示す図である。
【図４Ａ】図４Ａは、実施の形態に係る通信装置の受信アンテナの対応付けなどの動作を示すフローチャートである。
【図４Ｂ】図４Ｂは、実施の形態に係る通信装置のカウンタ更新などの動作を示すフローチャートである。
【図４Ｃ】図４Ｃは、実施の形態に係る通信装置のパケット受信などの動作を示すフローチャートである。
【図５Ａ】図５Ａは、実施の形態に係るアンテナ選択割合集計テーブルの一例を示す図である。
【図５Ｂ】図５Ｂは、実施の形態に係るアンテナ選択スケジュールの一例を示す図である。
【図６】図６は、本発明の課題を説明するための、親局の受信アンテナの選択の一例を示す図である。
【図７】図７は、本発明の課題を説明するための、親局の受信アンテナの選択の他の一例を示す図である。
【図８】図８は、実施の形態に係る親局の受信アンテナの選択の一例を示す図である。
【図９】図９は、実施の形態に係る親局の受信アンテナの選択の時間推移を示す図である。
【図１０】図１０は、実施の形態に係る受信アンテナの切り替え周期の説明図である。
【図１１Ａ】図１１Ａは、本発明の課題を説明するための、受信アンテナの切り替え周期の一例を示す図である。
【図１１Ｂ】図１１Ｂは、実施の形態に係る受信アンテナの切り替え周期の一例を示す図である。
【発明を実施するための形態】
【００１３】
（本発明の基礎となった知見）
本発明者は、「背景技術」の欄において記載した、受信アンテナダイバーシチ技術に関し、以下の問題が生ずることを見出した。
【００１４】
複数のアンテナのうちの１つを利用して無線信号を受信する受信アンテナダイバーシチ技術において、通信相手ごとに複数のアンテナのうちの良好に受信できるアンテナが異なる場合がある。この場合、複数の通信相手からの無線信号を良好に受信するためには、当該通信相手が無線信号を送信するタイミングに、当該通信相手からの無線信号を良好に受信できるアンテナを使用して受信できる状態となっていなければならない。
【００１５】
複数の通信相手のそれぞれが、任意のタイミングで通信装置への無線信号を送信する場合、通信装置は当該通信相手が送信する無線信号を良好に受信できるアンテナにより受信できる状態になっているとは限らない。良好に受信できるアンテナにより受信できる状態になっていない場合には、当該通信相手が送信する無線信号を良好に受信できるアンテナでないアンテナにより受信することとなる。その場合、無線信号を正常に受信できない可能性がある。
【００１６】
通信端末（子局）が通信装置（親局）に対して通信路確立のための初期登録を行う際に、通信装置が受信信号強度（ＲＳＳＩ、Received Signal Strength Indicator）に基づいて初期のアンテナ設定を行い、通信装置と通信端末との間で通信タイミングを共有する技術が開示されている（例えば、特許文献１）。
【００１７】
特許文献１に開示される技術によれば、通信端末と通信装置との間で通信タイミングをあらかじめ共有することにより、通信端末が無線信号を送信するタイミングに、当該通信端末が送信する無線信号を良好に受信できるアンテナによって受信できる状態とすることができる。しかし、通信タイミングが通信端末と通信装置との間であらかじめ共有される必要があるため、通信端末が任意のタイミングで無線信号を行う場合には対応できない。
【００１８】
また、通信端末が通信装置に対して初期登録を行う際に、通信装置における受信レベルが閾値以下となるアンテナを、受信に用いるアンテナの候補から除外する技術が開示されている（例えば、特許文献２）。
【００１９】
特許文献２に開示される技術によれば、通信装置における受信アンテナの選択時に良好に受信できるアンテナを選択する可能性が高まるため、無線信号を正常に受信できる確率が向上する。しかし、本技術は、通信装置と複数の通信端末との通信との通信を想定していない。
【００２０】
このような問題を解決するために、本発明の一態様にかかる通信装置は、複数の通信端末が送信する通信データを含む無線信号を受信する第１アンテナ部及び第２アンテナ部と、第１期間に前記第１アンテナ部を選択し、前記第１期間と異なる第２期間に前記第２アンテナ部を選択する選択部と、前記選択部が選択した前記第１アンテナ部又は前記第２アンテナ部が受信した前記無線信号に含まれる前記通信データを正常に取得できるか否かを判定する受信判定部と、前記複数の通信端末のそれぞれと前記第１アンテナ部及び前記第２アンテナ部のそれぞれとの対応付けを記憶している記憶部とを備え、前記選択部は、前記対応付けを参照することで、前記第１アンテナ部に対応づけられた前記通信端末が送信した前記通信データを正常に取得できると判定された回数に対する、前記第２アンテナ部に対応づけられた前記通信端末が送信した前記通信データを正常に取得できると判定された回数の比率と、前記第１期間の長さに対する前記第２期間の長さの比率とが等しくなるように、前記第１期間と前記第２期間との長さを設定する。
【００２１】
これによれば、通信装置（親局）は、通信端末（子局）からの通信データを正常に取得できると判定された回数の比率と等しくなるように、２つの受信アンテナを使用する時間を決定する。それぞれの受信アンテナを使用する時間が、当該受信アンテナにより最適に受信できる端末数の比率と一致しているため、通信データを正常に受信できる確率が向上する。よって、通信端末が任意のタイミングで無線信号を送信する場合に、高い確率で無線信号を受信することができる。
【００２２】
また、例えば、前記通信装置は、さらに、前記第１アンテナ部及び前記第２アンテナ部のそれぞれが受信した前記無線信号の受信信号強度を検出するＲＳＳＩ検出部を備え、前記記憶部は、前記第１アンテナ部及び前記第２アンテナ部のうち、受信した前記無線信号について前記ＲＳＳＩ検出部が検出した受信信号強度が高い方を、前記無線信号の送信元端末に対応させる前記対応付けを記憶している。
【００２３】
これによれば、各受信アンテナで受信信号強度が高いアンテナと各通信端末を対応づけることにより、各通信端末からの無線信号を受信信号強度が高いアンテナで受信できる可能性を高めることができる。よって、通信端末が任意のタイミングで無線信号を送信する場合に、高い確率で無線信号を受信することができる。
【００２４】
また、例えば、前記選択部は、周期的に前記第１期間と前記第２期間とを繰り返す。
【００２５】
これによれば、継続的に本通信装置を運用する場合において、２つの受信アンテナを使用する時間を上記の比率に設定した上で、所定の時間ごとに２つの受信アンテナを切り替えて使用することができる。よって、継続的に本発明の効果を発揮することができる。
【００２６】
また、例えば、前記選択部は、前記第１通信端末が送信した前記通信データを正常に取得できると判定された回数と、前記第２通信端末が送信した前記通信データを正常に取得できると判定された回数とに基づいて、前記第１期間と前記第２期間との繰り返しの周期を更新する。
【００２７】
これによれば、通信データ量が時間的に大きく変動する通信端末が存在する場合に、当該通信端末の通信データ量の変動に追随して親局の受信アンテナを選択することができる。
【００２８】
また、例えば、前記選択部は、前記第１アンテナ部及び前記第２アンテナ部のいずれか一方が受信した前記無線信号の受信信号強度が所定値未満であるとき、前記無線信号の送信元端末が送信した前記通信データを正常に取得できると判定された回数に基づいて、前記第１期間と前記第２期間との長さを設定する。
【００２９】
これによれば、子局が送信した通信データを親局のいずれか一方の受信アンテナにおいて受信できる場合に、当該子局の通信データ量に基づいて、親局の受信アンテナの選択比率を決定する。つまり、親局の受信アンテナの選択が必要な子局だけを親局の受信アンテナの選択比率の計算に参入することができる。
【００３０】
また、例えば、前記選択部は、前記第１アンテナ部及び前記第２アンテナ部のそれぞれが受信した前記無線信号の受信信号強度が所定値以上であるとき、前記無線信号の送信元端末が送信できると判定された前記通信データを正常に取得した回数を算入せずに、前記第１期間と前記第２期間との長さを設定する。
【００３１】
これによれば、子局が送信した通信データを親局の全ての受信アンテナにおいて受信できる場合には、当該子局の通信データ量に無関係に親局の受信アンテナの選択比率を決定する。つまり、親局の受信アンテナの選択が必要な子局だけを親局の受信アンテナの選択比率の計算に参入することができる。
【００３２】
また、例えば、前記記憶部は、前記通信端末と、前記第１アンテナ部及び前記第２アンテナ部のうち、当該通信端末が送信した前記通信データを受信したときの受信信号強度が高い方との対応を、新たな前記対応付けとして記憶する。
【００３３】
これによれば、受信アンテナの切り替え周期ごとに、ＲＳＳＩが高い方の受信アンテナとすることができる。つまり、子局が移動している場合、または、子局が停止しているが周辺の通信環境の変化がある場合など、ＲＳＳＩが時間的に変動する場合にも、親局は受信に最適な受信アンテナを選択することができる。
【００３４】
また、例えば、前記選択部は、前記通信端末が前記通信データを再送信するまでの時間である再送待ち時間を、繰り返しの周期として、前記第１期間と前記第２期間との長さを設定する。
【００３５】
これによれば、子局が通信データを送信したときに親局が当該子局が送信した通信データを受信する最適な受信アンテナを選択しておらず、当該通信データを受信できなかった場合に、親局の受信アンテナ切り替えにより当該通信データの再送を受信できるまでの時間が短縮される。よって、子局の通信データを親局が受信できる確率を向上することができる。
【００３６】
また、例えば、前記選択部は、前記第１アンテナ部又は前記第２アンテナ部が前記無線信号を受信しているときには、前記第１アンテナ部又は前記第２アンテナ部のいずれかの選択を維持する。
【００３７】
これによれば、無線信号を受信中に受信アンテナを切り替えた場合に発生する通信ロスを回避することができる。
【００３８】
また、本発明の一態様にかかる通信方法は、複数の通信端末が送信する通信データを含む無線信号を受信する第１アンテナ部及び第２アンテナ部とを備える通信装置における通信方法であって、第１期間に前記第１アンテナ部を選択し、前記第１期間と異なる第２期間に前記第２アンテナ部を選択する選択ステップと、前記選択ステップにおいて選択された前記第１アンテナ部又は前記第２アンテナ部が受信した前記無線信号に含まれる前記通信データを正常に取得できるか否かを判定する受信判定ステップと、前記複数の通信端末のそれぞれと前記第１アンテナ部及び前記第２アンテナ部のそれぞれとの対応付けを行う対応付けステップとを含み、前記選択ステップにおいて、前記対応付けを参照することで、前記第１アンテナ部に対応づけられた前記通信端末が送信した前記通信データを正常に取得できると判定された回数に対する、前記第２アンテナ部に対応づけられた前記通信端末が送信した前記通信データを正常に取得できると判定された回数の比率と、前記第１期間の長さに対する前記第２期間の長さの比率とが等しくなるように、前記第１期間と前記第２期間との長さを設定する。
【００３９】
これにより、上記の通信装置と同様の効果を奏する。
【００４０】
また、本発明の一態様に係るプログラムは、上記の通信方法をコンピュータに実行させるためのプログラムである。
【００４１】
これにより、上記の通信装置と同様の効果を奏する。
【００４２】
以下、本発明の一態様に係る通信装置について、図面を参照しながら具体的に説明する。
【００４３】
なお、以下で説明する実施の形態は、いずれも本発明の一具体例を示すものである。以下の実施の形態で示される数値、形状、材料、構成要素、構成要素の配置位置及び接続形態、ステップ、ステップの順序などは、一例であり、本発明を限定する主旨ではない。また、以下の実施の形態における構成要素のうち、最上位概念を示す独立請求項に記載されていない構成要素については、任意の構成要素として説明される。
【００４４】
なお、同一の構成要素には同一の符号を付し、説明を省略する場合がある。
【００４５】
（実施の形態）
本実施の形態において、２本の受信アンテナを搭載し、受信アンテナダイバーシチ技術を用いて受信アンテナを切り替える通信装置において、任意のタイミングで送信される無線信号を受信できる確率を向上する例について説明する。無線通信規格の一例は、ＩＥＥＥ８０２．１５．４である。また、本発明は他の無線通信規格に適用することが可能である。
【００４６】
図１は、本実施の形態に係るシステム構成の一例を示す図である。
【００４７】
図１に示される通信システム１００は、親局１０１と、子局Ａ（１１１）と、子局Ｂ（１１２）と、子局Ｃ（１１３）と、子局Ｄ（１１４）とを備える。親局１０１は、子局Ａ（１１１）、子局Ｂ（１１２）、子局Ｃ（１１３）及び子局Ｄ（１１４）のそれぞれから通信データを受信する。親局１０１は受信アンテナダイバーシチ技術により受信アンテナを切り替える。子局はアンテナを１つだけ有する構成であってもよいし、アンテナを複数有し、ダイバーシチにより切替える構成であってもよい。親局１０１は、本発明の一態様にかかる通信装置の一例である。また、子局Ａ〜Ｄは、通信端末の一例である。
【００４８】
図２は、本実施の形態に係るシステム構成の他の一例を示す図である。
【００４９】
図２に示される通信システム２００は、一般家庭に構築される家庭内ネットワーク２１０であって、親局２２０と、太陽光発電機２３０と、蓄電池２４０と、燃料電池２５０と、エアコン２６０と、テレビ２７０とを備える。太陽光発電機２３０、蓄電池２４０、燃料電池２５０、エアコン２６０及びテレビ２７０のそれぞれの家電は、無線通信機能を有する子局の一例である。
【００５０】
図３は、本実施の形態に係る通信装置の機能ブロック構成の一例を示す図である。
【００５１】
図３に示されるように、本実施の形態に係る通信装置１は、第１アンテナ部２と、第２アンテナ部３と、切替部４と、復調部５と、受信判定部６と、記憶部７と、カウンタ８と、アンテナ制御部９とを備える。
【００５２】
第１アンテナ部２及び第２アンテナ部３は、子局が送信した通信データを含む無線信号を受信する受信アンテナである。
【００５３】
切替部４は、第１アンテナ部２及び第２アンテナ部３のいずれか一方を選択し、選択された受信アンテナが受信した無線信号を復調部５へ出力する。
【００５４】
復調部５は、第１アンテナ部２及び第２アンテナ部３が受信した無線信号のうち、切替部４が出力した方の無線信号を復調することで、通信データを復元する。また、復調部５は、受信した無線信号の受信信号強度（ＲＳＳＩ、Received Signal Strength Indicator）を検出する。なお、復調部５は、ＲＳＳＩ検出部に相当する。
【００５５】
受信判定部６は、復調部５が復元した通信データを正常に取得できるか否かを判定する。具体的には、子局において通信データに付与された誤り検出符号を用いて、子局が送信した通信データが誤りなく受信できたか否かを判定する。誤り検出符号の具体例はＣＲＣ（Cyclic Redundancy Check）である。
【００５６】
記憶部７は、子局と、当該子局との間で良好な通信が可能な受信アンテナ（第１アンテナ部または第２アンテナ部）との対応付けを記憶する。また、受信判定部が誤りなく受信した通信データの個数である受信成功回数を記憶する。
【００５７】
カウンタ８は、一定の時間が経過するごとに加算される数値（カウンタ値）を保持する。
【００５８】
アンテナ制御部９は、切替部４が第１アンテナ部２及び第２アンテナ部３のどちらを選択するかを制御する。カウンタ８のカウンタ値に基づいて、アンテナ制御部９が所定の周期で制御を行う。
【００５９】
なお、切替部４及びアンテナ制御部９の機能は、選択部に相当する。
【００６０】
なお、子局から受信した通信データの内容を解釈し情報処理を行う処理部（不図示）を備えてもよい。その場合、受信判定部６が正常に取得できると判定した受信データが、処理部へ出力される。
【００６１】
なお、子局から受信した通信データの内容を解釈し情報処理を行う処理装置（不図示）へ、通信データの内容を出力するようにしてもよい。その場合、受信判定部６が正常に取得できると判定した受信データが、処理装置へ出力される。
【００６２】
以下で、本実施の形態に係る通信装置の動作について説明する。なお、本実施の形態に係る通信装置の動作には、受信アンテナの対応付けなどの動作と、カウンタ更新などの動作と、パケット受信などの動作とが含まれる。これらの動作は平行して実行されてもよい。
【００６３】
図４Ａは本実施の形態に係る通信装置の受信アンテナの対応付けなどの動作を示すフローチャートである。本動作は、例えば、子局の起動直後、所定の時刻、または、前回の同一の動作から所定の時間が経過した後などに行われる。また、子局とは、図１の子局Ａ〜Ｄに対応するものである。
【００６４】
本動作が行われるとき、子局は親局に対して、親局の受信アンテナの対応付けのための通信データを送信する。この通信データは、有意なデータを含まない試験用の通信データであってもよいし、有意なデータを含む通信データであってもよい。
【００６５】
図４Ａに示されるように、本実施の形態に係る通信装置の受信アンテナの対応付け動作では、まず、親局は、第１アンテナ部で子局が送信した通信データを受信し、ＲＳＳＩを検出する（Ｓ４０１）。
【００６６】
次に、親局は、第２アンテナ部で子局が送信した通信データを受信し、ＲＳＳＩを検出する（Ｓ４０２）。
【００６７】
次に、第１アンテナ部で受信したときのＲＳＳＩと、第２アンテナ部で受信したときのＲＳＳＩとを比較し、ＲＳＳＩが高い方の受信アンテナを、当該子局との通信に最適な受信アンテナであると対応付けする（Ｓ４０３）。この対応付けは、アンテナ選択割合集計テーブル（後述）に記述される。
【００６８】
なお、Ｓ４０１及びＳ４０２において、子局が送信した複数の通信データを受信し、各受信アンテナで受信した場合のＲＳＳＩの平均値を用いてＳ４０３の対応付けを行ってもよい。
【００６９】
なお、Ｓ４０１及びＳ４０２において検出されたＲＳＳＩがともに所定ＲＳＳＩ値以上である子局に対しては、Ｓ４０３における対応付けを行わないようにしてもよい。なぜなら、この場合には、親局がどちらの受信アンテナで受信しても良好に受信できるので、受信アンテナを選択する必要がないからである。また、このような子局を受信アンテナの選択から除外することにより、一方の受信アンテナのみで親局が良好に受信できる子局に対して、最適な受信アンテナで受信できる確率が向上するからである。
【００７０】
なお、Ｓ４０１及びＳ４０２において受信した通信データのＰＥＲ（Packet Error Rate）がともに、所定のＰＥＲ以上である子局に対しては、上記ＲＳＳＩの場合と同様に、Ｓ４０３における対応付けを行わないようにしてもよい。その理由は、上記ＲＳＳＩの場合と同様である。
【００７１】
なお、上記の受信アンテナの対応付けなどの動作を定期的に行うことにより、親局が最適な受信アンテナを選択できる可能性が高まる。なぜなら、親局における通信データの受信状況は、物または人の移動等の電波環境の変化により変動し、それにともなって最適な受信アンテナが変わるからである。
【００７２】
図４Ｂは、本実施の形態に係る通信装置のカウンタ更新などの動作を示すフローチャートである。本動作は、周期的に行われる。また、通信装置が受信アンテナの選択を切り替える周期Ｔは、あらかじめ決められているとする。
【００７３】
図４Ｂに示されるように、本実施の形態に係る通信装置のカウンタ更新動作では、まず、カウンタ値を更新する（Ｓ４２１）。
【００７４】
次に、Ｓ４２１において更新されたカウンタ値が、２４時間に相当するカウンタ値を越えたか否かを判定する（Ｓ４２２）。なお、カウンタ値をリセットするまでの時間を２４時間としたが、所定の時間としてよい。
【００７５】
Ｓ４２２において、カウンタ値が２４時間に相当するカウンタ値を越えたと判定された場合（Ｓ４２２でＹＥＳ）、カウンタ値をリセットし、アンテナ選択割合集計テーブルを更新する（Ｓ４２３）。さらに、受信アンテナの選択スケジュールを、アンテナ選択割合集計テーブルに基づいて、以下のように決定する。
【００７６】
受信アンテナの選択スケジュールを決定するには、まず、第１アンテナ部に対応付けられた子局の受信成功回数に対する、第２アンテナ部に対応付けられた子局の受信成功回数の比率Ｓを求める。次に、切替部４が第１アンテナ部を選択している期間（第１期間）の継続時間に対する、第２アンテナ部を選択している期間（第２期間）の継続時間の比率を、比率Ｓに等しくなるように設定する。次に、第１期間と第２期間との継続時間及び選択スケジュールを決める。選択スケジュールとは、第１期間及び第２期間の開始時刻及び終了時刻を決定するための情報である。最後に当該選択スケジュールに従って、次に選択する受信アンテナを決定する。なお、選択スケジュールの具体例については、後述する。
【００７７】
次に、カウンタ値が周期Ｔの整数倍となっているか否か、すなわち、（式１）が満たされるか否かを判定する（Ｓ４２４）。
【００７８】
mod(カウンタ値，周期Ｔ)＝０      （式１）
【００７９】
Ｓ４２４においてカウンタ値が周期Ｔの整数倍となっていると判定された場合、受信アンテナの選択スケジュールに基づいて、受信アンテナを選択する。なお、周期Ｔの具体的な値は、上記のカウンタ値をリセットする周期である２４時間より少ない時間であればどんな値であってもよい。例えば、周期Ｔは、１時間、１０分または１分などの値をとることができる。さらに、受信アンテナを切り替える際に、周期Ｔを変更するようにしてもよい。
【００８０】
図４Ｃは、本実施の形態に係る通信装置のパケット受信など動作を示すフローチャートである。本動作は、周期的に行われる。なお、記憶部７にはあらかじめ通信装置に通信データを送信する子局ごとに、当該子局が送信した通信データのＲＳＳＩ値が登録されている。
【００８１】
図４Ｃに示されるように、本実施の形態に係る通信装置のパケット受信など動作では、まず、子局が送信した無線信号（パケット）を受信する（Ｓ４４１）。なお、子局がなんら無線信号を送信しない場合には、無線信号を受信するまで待機する。
【００８２】
次に、受信した無線信号を復調することで、通信データを複製する（Ｓ４４２）。
【００８３】
次に、Ｓ４２２で複製した通信データを正常に取得できるか否かを判定する（Ｓ４４３）。具体的には、子局において通信データに付与された誤り検出符号を用いて、子局が送信した通信データが誤りなく受信できたか否かを判定する。誤り検出符号の具体例はＣＲＣである。Ｓ４４３において、通信データを正常に取得できないと判定された場合には、処理を終了する（Ｓ４４３でＮＧ）。
【００８４】
一方、Ｓ４４３において、通信データを正常に取得できると判定された場合には、通信データの送信元が、登録されている子局であるか否かを判定する（Ｓ４４４）。
【００８５】
Ｓ４４４において、送信元が、登録されている子局であると判定された場合には（Ｓ４４４でＹＥＳ）、受信アンテナのＲＳＳＩ値を記録する（Ｓ４４５）。
【００８６】
一方、Ｓ４４４において、送信元が登録されていない子局であると判定された場合には処理を終了する（Ｓ４４４でＮＯ）。なお、記憶部７では子局毎に、各受信アンテナの平均ＲＳＳＩが記憶される。
【００８７】
次に、記憶部７は、通信データを送信した子局（送信元の家電）から、誤りなく受信した通信データの個数である受信成功回数を加算する（Ｓ４４６）。
【００８８】
図５Ａは、本実施の形態に係るアンテナ選択割合集計テーブルＴ５０１の一例を示す図である。
【００８９】
図５Ａに示されるように、アンテナ選択割合集計テーブルＴ５０１には、子局と、子局が送信する無線信号を受信する最適な親局の受信アンテナと、子局が送信した無線信号を受信成功した回数（受信判定部６により正常に取得できると判定された回数）とが記載される。子局が送信する無線信号を受信する最適な親局の受信アンテナは、図４ＡのＳ４０３で対応付けが行われたものである。また、子局が送信した無線信号を受信成功した回数は、図４ＣのＳ４４６で加算されたものである。なお、子局が送信した無線信号を受信成功した回数は、１日（２４時間）あたりの数値が示されているが、これは一例であり、他の時間とすることもできる。
【００９０】
図５Ａに示される受信成功回数の場合のアンテナ選択について説明する。
【００９１】
図５Ａに示される受信成功回数の受信アンテナごとの合計は、アンテナ１（第１アンテナ部）が２０、アンテナ２（第２アンテナ部）が９であるので、受信成功回数の比率Ｓは０．４５（＝９／２０）となる。次に、周期Ｔの中で、第１期間の継続時間に対する第２期間の継続時間の割合が比率Ｓに等しくなるように、第１期間と第２期間とに時間を割り振る。例えば、周期Ｔが１分である場合、第１期間が約４１秒、第２期間が１９秒となる。なお、上記の計算において、適宜、四捨五入等をしてもよい。例えば、上記の計算において、比率Ｓを四捨五入により０．５とし、第１期間を４０秒、第２期間を２０秒としてもよい。
【００９２】
図５Ｂは、本実施の形態に係るアンテナの選択スケジュールの一例を示す図である。図５Ａにおいて、第１期間を４０秒、第２期間を２０秒と決定された場合、時刻ごとのアンテナ選択は例えば、図５Ｂの（ａ）のようになる。図５Ｂの（ａ）に示されるように、所定の時刻（１２：００：００）から第１期間が開始され、４０秒後（１２：００：４０）に第２期間が開始される。さらに、その２０秒後（１２：０１：００）に第１期間が開始される。以降、同様に第１期間と第２期間とが繰り返される。
【００９３】
この場合に、選択スケジュールは、例えば、以下のいずれかのような情報を含む。
【００９４】
図５Ｂの（ｂ）の例では、選択スケジュールは、それぞれの期間（第１期間及び第２期間）の開始時刻と終了時刻とを含む情報である。図５Ｂの（ｂ）のような場合、当該期間が当該開始時刻に開始し、当該終了時刻に終了する。
【００９５】
図５Ｂの（ｃ）の例では、選択スケジュールは、それぞれの期間の開始時刻と所要時間とを含む情報である。図５Ｂの（ｃ）のような場合、当該期間が当該開始時刻に開始し、当該所要時間だけ経過した時刻に終了する。
【００９６】
図５Ｂの（ｄ）の例では、選択スケジュールは、第１期間及び第２期間のそれぞれの継続時間を含む情報である。ただし図５Ｂの（ｄ）のような情報を用いることができるのは、第１期間が終了し次第、第２期間を開始するという前提がある場合である。図５Ｂの（ｄ）のような場合、所定の時刻に当該期間が開始し、当該所要時間だけ経過した時刻に終了し、終了すると同時に次の期間が開始する。
【００９７】
以上の動作による受信アンテナの選択によって、親局が受信できる通信データ量が向上することについて、以下で説明する。
【００９８】
図６は、本発明の課題を説明するための、親局の受信アンテナの選択の一例を示す図である。図６は、親局と子局との間で通信タイミングを共有する場合で、子局があらかじめ決められた通信タイミングで通信する場合の例を示す。また、子局Ａ、子局Ｂ及び子局Ｃは、親局の第２アンテナ部に、子局Ｄは親局の第１アンテナ部にそれぞれ対応付けられている。
【００９９】
図６に示されるように、親局と子局との間で通信タイミングを共有する場合には、伝搬環境の変動がないと仮定する場合、親局が通信データを受信する確率（受信率）は１００％である。しかし、あらかじめ決められた通信タイミングでしか通信できないため、子局が任意のタイミングで通信データを送信することはできないという問題がある。
【０１００】
図７は、本発明の課題を説明するための、親局の受信アンテナの選択の他の一例を示す図である。図７は、親局と子局との間で通信タイミングを共有する場合で、子局があらかじめ決められた通信タイミングでない、任意のタイミングで通信する場合の例を示す。
【０１０１】
図７に示されるように、子局が任意のタイミングで通信すると、親局が、子局との通信に最適でない受信アンテナを選択しているときに送信された通信データを受信できる確率が低下する。図７の例では、親局の受信率は３６％に低下する。
【０１０２】
図８は、本実施の形態に係る親局の受信アンテナの選択の一例を示す図である。図８は、図７と同じように、子局が任意のタイミングで通信する場合に、本実施の形態に係る親局の受信アンテナ選択を行う場合の例である。
【０１０３】
親局が受信アンテナとして第１アンテナ部または第２アンテナ部を選択する割合と、第１アンテナ部または第２アンテナ部で受信するのが最適な通信データ数の割合とがほぼ一致しているため、図７の場合と比較して、親局が受信できる通信データが多くなる。その結果、親局の受信率は６３％に向上する。
【０１０４】
なお、図４Ｂにおいて、カウンタをリセットするまでの時間を２４時間としたが、所定の時間とすることも可能である。この時間を短くすることにより、より短い周期で通信データ量が増減する通信に対応することができる。例えば、１時間とすれば、１時間ごとに受信アンテナとして第１アンテナ部と第２アンテナ部とを切り替えることができる。
【０１０５】
図９は、本実施の形態に係る親局の受信アンテナの選択の時間推移を示す図である。図９に示されるように、１時間ごとに第１アンテナ部と第２アンテナ部とを切り替えることにより、１時間周期で通信データ量の増減にあわせることができ、親局の受信率をさらに向上することができる。
【０１０６】
なお、本実施の形態において、２本の受信アンテナを搭載する通信装置における例を示したが、３本以上の受信アンテナを搭載する通信装置にも適用可能である。その場合、搭載する３本以上の受信アンテナの間で、各受信アンテナに対応付けられた通信端末が送信した通信データ数の比率に基づいて、受信アンテナを切り替えるようになる。
【０１０７】
なお、本実施の形態において、受信成功回数の比率Ｓに基づいて第１アンテナ部を選択する第１期間と第２アンテナ部を選択する第２期間とを決めて、第１期間及び第２期間を交互に繰り返すこととしたが、周期Ｔ毎に受信成功回数の比率Ｓの確率に基づいて第１アンテナ部と第２アンテナ部とを選択しても同様の効果が得られる。
【０１０８】
例えば、アンテナ１が最適な子局の受信回数が７であり、アンテナ２が最適な子局の受信回数が３である場合、アンテナ１が選択される確率は７０％、アンテナ２が選択される確率は３０％となり、周期Ｔ毎にアンテナ制御部がこの確率に基づいてアンテナを選択するようにしても、同様の効果が得られる。
【０１０９】
なお、親局の受信アンテナの切り替え周期を、無線通信の再送待ち時間としてもよい。
【０１１０】
また、受信アンテナの切り替え周期を定める際に、受信アンテナの切り替え周期が所定の範囲内に収まるようにしてもよい。具体的には、受信アンテナの切替周期の比率に対して所定の範囲を設け、本実施の形態によって算出される比率が所定の範囲を外れる場合には、当該比率を所定の範囲内に収めるようにしてもよい。言い換えれば、上限値及び下限値により所定の範囲が定められる場合、本実施の形態によって算出される比率が上限値を超える場合には上限値に一致させ、下限値を下回る場合には下限値に一致させるようにしてもよい。このようにすると、例えば、極端に通信頻度が低い通信装置が存在する場合に、その通信装置にとって通信できないアンテナに親局の受信アンテナが固定されることを防ぐことができる。そして、通信頻度の極端に低い端末が、そうでない端末と同様に通信することが可能になる。なお、比率の上限値又は下限値は、再送回数を用いて定めることができる。例えば、本実施の形態でアンテナ１とアンテナ２の切り替え比率が、１：１００と算出されたとすると、再送回数が７である場合に、１：７とすることができる。言い換えれば、再送回数を７とした場合、比率の上限値を０．８７５（＝７／（１＋７））とし、比率の下限値を０．１２５（＝１／（１＋７））とすることができる。このようにして、通信頻度が極端に低い端末の通信機会が、極端に低下するのを防ぐことができる。なお、所定の範囲は、上限値及び下限値のいずれか一方のみで定められてもよい。
【０１１１】
以下で詳細に説明する。
【０１１２】
図１０は、本実施の形態に係る受信アンテナの切り替え周期の説明図である。図１０の（ａ）は、図８と同様の親局の受信アンテナの選択の一例である。図１０の（ｂ）は、子局から親局へ通信データを送信するときに送受信される無線信号（ＩＥＥＥ８０２．１５．４）の一例である。
【０１１３】
図１０の（ｂ）に示されるように、無線信号を送信しようとする子局は、まず、無線通信チャネルの空きチャネルを探すＣＣＡ（Clear Channel Assessment）を行う。ＣＣＡにより空きチャネルを発見したら、その無線通信チャネルにおいて、プリアンブルを送信し、続けて、通信データと当該通信データのＣＲＣとを送信する。親局は、この通信データを受信したら、時間Ｔａｃｋだけ待機した後、プリアンブルを送信し、続けて、ＡＣＫメッセージを送信する。以上が、子局から親局へ通信データを送信するときに送受信される無線信号の一例である。
【０１１４】
ここで、通信ロスなどにより、親局が当該通信データを受信できなかった場合には、送信元である当該子局は、もし親局が当該通信データを受信できていたならばＡＣＫメッセージが送信完了される時間、ＩＦＳ（Inter Frame Space）時間、及び、バックオフ時間が経過するのを待ち、再度、当該通信データを送信（再送信）する。最初に通信データを送信してから、当該通信データを再送信するまでの時間を再送待ち時間ＴＲとする。
【０１１５】
本実施の形態に係る受信アンテナの切り替え周期を、再送待ち時間ＴＲと等しくする効果について、図１１Ａ及び図１１Ｂを参照して説明する。
【０１１６】
図１１Ａは、本発明の課題を説明するための、受信アンテナの切り替え周期の一例を示す図である。ここで、受信アンテナの切り替え周期Ｔは、ＴＲより大きい４ＴＲと設定されている。また、子局Ｆが送信した無線信号を受信する親局の最適な受信アンテナは第２アンテナ部であり、親局の第１アンテナ部では子局Ｆが送信した無線信号を受信できないとする。
【０１１７】
親局が受信アンテナとして第１アンテナ部を選択しているときに、子局Ｆが通信データＦ１（０）を送信した場合の例を示す。ここで、括弧内の数値は再送回数を示す。括弧内の数値が０である場合は、当該通信データの（再送でない）最初の送信であることを意味する。
【０１１８】
子局ＦがＦ１（０）を送信したが親局がＦ１（０）を受信できないため、子局は、Ｆ１（０）を送信してからＴＲ経過後に再送Ｆ１（１）を行う。親局がＦ１（１）を受信することもできないため、子局Ｆは、さらに再送Ｆ１（２）〜Ｆ１（６）を行う。親局が再送Ｆ１（２）〜Ｆ１（６）を受信することもできないため、子局Ｆは、さらに再送Ｆ１（７）を行う。ここで親局の受信アンテナが第２アンテナ部に切り替わる。再送Ｆ１（７）の時点で、親局の受信アンテナが第２アンテナ部であるため、親局が再送Ｆ１（７）を受信できる。この場合、親局が通信データＦ１を受信するまでに、７回の再送が必要である。
【０１１９】
図１１Ｂは、本実施の形態に係る受信アンテナの切り替え周期の一例を示す図である。ここで、受信アンテナの切り替え周期Ｔは、ＴＲと設定されている。その他の条件は、図１１Ａの場合と同様である。
【０１２０】
子局ＦがＦ１（０）を送信したが親局がＦ１（０）を受信できないため、子局は、Ｆ１（０）を送信してからＴＲ経過後に再送Ｆ１（１）を行う。ここで親局の受信アンテナが第２アンテナ部に切り替わる。再送Ｆ１（１）の時点で、親局の受信アンテナが第２アンテナ部であるため、親局が再送Ｆ１（１）を受信できる。この場合、親局が通信データＦ１を受信するまでに必要な再送回数は１回である。
【０１２１】
以上のように、親局の受信アンテナの切り替え周期を無線通信の再送待ち時間とすることで、子局との通信に最適でない受信アンテナが選択されているときに送信された通信データを最適な受信アンテナで受信するまでに要する時間を短縮することができる。
【０１２２】
なお、通常、再送回数には上限が設けられ、上限を超えた場合にはその通信データは親局に受信されず、通信ロスとなる。親局が最適な受信アンテナで受信するまでに要する時間を短縮することにより、上記の通信ロスを回避することができる。
【０１２３】
なお、受信アンテナを切り替える周期Ｔは、通信端末が送信した通信データを正常に受信した回数に応じて更新するようにしてもよい。例えば、Ｔを１時間としていたときに、通信端末が送信した通信データの受信率が低下したら、Ｔを１０分に変更するようにしてもよい。こうすることにより、通信データの受信率の低下を抑制できる可能性がある。
【０１２４】
なお、受信アンテナを切り替える周期Ｔを、周期ごとに所定範囲で変動するようにしてもよい。例えば、当該所定範囲をＴの１０％とし、Ｔを１０分と設定した後の周期において、Ｔを９分に、または、Ｔを１１分に変更するようにしてもよい。このようにすることで、子局が定期的に通信データを送信する場合に、通信データの受信率の低下を抑制できる可能性がある。
【０１２５】
なお、親局の一方の受信アンテナで無線信号を受信しているときに、受信アンテナの切替をしないようにしてもよい。つまり、親局の一方の受信アンテナで無線信号を受信しているときには、選択部４における受信アンテナの選択を維持する（変更しない）ようにしてもよい。このようにすることで、無線信号を受信中に受信アンテナを切り替えた場合に発生する通信ロスを回避することができる。
【０１２６】
以上のように、本発明の一態様に係る通信装置によれば、通信装置（親局）は、通信端末（子局）からの通信データを正常に取得した回数の比率と等しくなるように、２つの受信アンテナを使用する時間を決定する。それぞれの受信アンテナを使用する時間が、当該受信アンテナにより最適に受信できる端末数の比率と一致しているため、通信データを正常に受信できる確率が向上する。よって、通信端末が任意のタイミングで無線信号を送信する場合に、高い確率で無線信号を受信することができる。
【０１２７】
また、各受信アンテナで受信信号強度が高いアンテナと各通信端末を対応づけることにより、各通信端末からの無線信号を受信信号強度が高いアンテナで受信できる可能性が高まる。よって、通信端末が任意のタイミングで無線信号を送信する場合に、高い確率で無線信号を受信することができる。
【０１２８】
また、継続的に本通信装置を運用する場合において、２つの受信アンテナを使用する時間を上記の比率に設定した上で、所定の時間ごとに２つの受信アンテナを切り替えて使用することができる。よって、継続的に本発明の効果を発揮することができる。
【０１２９】
また、通信データ量が時間的に大きく変動する通信端末が存在する場合に、当該通信端末の通信データ量の変動に追随して親局の受信アンテナを選択することができる。
【０１３０】
また、子局が送信した通信データを親局のいずれか一方の受信アンテナにおいて受信できる場合に、当該子局の通信データ量に基づいて、親局の受信アンテナの選択比率を決定する。つまり、親局の受信アンテナの選択が必要な子局だけを親局の受信アンテナの選択比率の計算に参入することができる。
【０１３１】
また、子局が送信した通信データを親局の全ての受信アンテナにおいて受信できる場合には、当該子局の通信データ量に無関係に親局の受信アンテナの選択比率を決定する。つまり、親局の受信アンテナの選択が必要な子局だけを親局の受信アンテナの選択比率の計算に参入することができる。
【０１３２】
また、受信アンテナの切り替え周期ごとに、ＲＳＳＩが高い方の受信アンテナとすることができる。つまり、子局が移動している場合、または、子局が停止しているが周辺の通信環境の変化がある場合など、ＲＳＳＩが時間的に変動する場合にも、親局は受信に最適な受信アンテナを選択することができる。
【０１３３】
また、子局が通信データを送信したときに親局が当該子局が送信した通信データを受信する最適な受信アンテナを選択しておらず、当該通信データを受信できなかった場合に、親局の受信アンテナ切り替えにより当該通信データの再送を受信できるまでの時間が短縮される。よって、子局の通信データを親局が受信できる確率を向上することができる。
【０１３４】
また、無線信号を受信中に受信アンテナを切り替えた場合に発生する通信ロスを回避することができる。
【０１３５】
なお、上記実施の形態において、各構成要素は、専用のハードウェアで構成されるか、各構成要素に適したソフトウェアプログラムを実行することによって実現されてもよい。各構成要素は、ＣＰＵまたはプロセッサなどのプログラム実行部が、ハードディスクまたは半導体メモリなどの記録媒体に記録されたソフトウェアプログラムを読み出して実行することによって実現されてもよい。ここで、上記実施の形態の通信装置などを実現するソフトウェアは、次のようなプログラムである。
【０１３６】
すなわち、このプログラムは、コンピュータに、複数の通信端末が送信する通信データを含む無線信号を受信する第１アンテナ部及び第２アンテナ部とを備える通信装置における通信方法であって、第１期間に前記第１アンテナ部を選択し、前記第１期間と異なる第２期間に前記第２アンテナ部を選択する選択ステップと、前記選択ステップにおいて選択された前記第１アンテナ部又は前記第２アンテナ部が受信した前記無線信号に含まれる前記通信データを正常に取得できるか否かを判定する受信判定ステップと、前記複数の通信端末のそれぞれと前記第１アンテナ部及び前記第２アンテナ部のそれぞれとの対応付けを行う対応付けステップとを含み、前記選択ステップにおいて、前記対応付けを参照することで、前記第１アンテナ部に対応づけられた前記通信端末が送信した前記通信データを正常に取得した回数に対する、前記第２アンテナ部に対応づけられた前記通信端末が送信した前記通信データを正常に取得した回数の比率と、前記第１期間の長さに対する前記第２期間の長さの比率とが等しくなるように、前記第１期間と前記第２期間との長さを設定することを実行させる。
【０１３７】
以上、本発明の一つまたは複数の態様に係る通信装置について、実施の形態に基づいて説明したが、本発明は、この実施の形態に限定されるものではない。本発明の趣旨を逸脱しない限り、当業者が思いつく各種変形を本実施の形態に施したものや、実施の形態における構成要素を組み合わせて構築される形態も、本発明の一つまたは複数の態様の範囲内に含まれてもよい。
【産業上の利用可能性】
【０１３８】
本発明は、受信アンテナダイバーシチ技術において、通信相手が任意のタイミングで無線信号を送信する場合に、高い確率で無線信号を受信することができる通信装置等を提供することができる。本通信装置は、例えば、家庭内無線ネットワーク、企業内無線ネットワーク、または、携帯電話などの公衆無線ネットワークなどに利用できる。
【符号の説明】
【０１３９】
１    通信装置
２    第１アンテナ部
３    第２アンテナ部
４    切替部
５    復調部
６    受信判定部
７    記憶部
８    カウンタ
９    アンテナ制御部
１００、２００    通信システム
１０１、２２０    親局
１１１    子局Ａ
１１２    子局Ｂ
１１３    子局Ｃ
１１４    子局Ｄ
２１０    家庭内ネットワーク
２３０    太陽光発電機
２４０    蓄電池
２５０    燃料電池
２６０    エアコン
２７０    テレビ
【図１】
2013175763.tif 000003
【図２】
2013175763.tif 000004
【図３】
2013175763.tif 000005
【図４Ａ】
2013175763.tif 000006
【図４Ｂ】
2013175763.tif 000007
【図４Ｃ】
2013175763.tif 000008
【図５Ａ】
2013175763.tif 000009
【図５Ｂ】
2013175763.tif 000010
【図６】
2013175763.tif 000011
【図７】
2013175763.tif 000012
【図８】
2013175763.tif 000013
【図９】
2013175763.tif 000014
【図１０】
2013175763.tif 000015
【図１１Ａ】
2013175763.tif 000016
【図１１Ｂ】
2013175763.tif 000017
【国際調査報告】
2013175763.tif 000018
2013175763.tif 000019